(57)【要約】【課題】可動ルーバー面格子のロック機構をスムーズに解除することができると共に、室外側から面格子の解除操作を行えないようにして不法侵入の防止を図ることのできるルーバー面格子装置を提供する。【解決手段】周枠７内に多数のルーバー８を開閉可能に配設してなる可動ルーバー面格子１と、可動ルーバー面格子１の一端部を枢着して開閉可能に支持する外枠２と、前記面格子１の遊端部を閉鎖位置で外枠に連結するロック機構３と、面格子周枠７の室内側に突出する回転操作ツマミ５を一定方向に回転操作することによってロック機構３による面格子１と外枠２との連結状態を解除するロック解除機構４と、ルーバー８が開いている時に回転操作ツマミ５の回転を阻止するツマミ回転阻止手段６とを具備している。【選択図】図６
2010242456.tif 000002
【特許請求の範囲】
【請求項１】
周枠内に多数のルーバーを開閉可能に配設してなる可動ルーバー面格子と、可動ルーバー面格子の一端部を枢着して開閉可能に支持する外枠と、前記面格子の遊端部を閉鎖位置で外枠に連結するロック機構と、面格子周枠の室内側に突出する回転操作ツマミを一定方向に回転操作することによってロック機構による面格子と外枠との連結状態を解除するロック解除機構と、ルーバーが開いている時に回転操作ツマミの回転を阻止するツマミ回転阻止手段とを具備してなるルーバー面格子装置。
【請求項２】
ロック機構は、可動ルーバー面格子の周枠を形成する下横框に設けられたロックプレートと、外枠を形成する左右縦枠の下端部に設けられた左右一対のフックと、可動ルーバー面格子の遊端部が閉鎖した位置で両フックが夫々突入可能にロックプレートに設けられたロック孔と、ロック孔に突入したフックをロック孔に対し抜け出し不能にロックするようにロックプレートをその一方向に付勢するバネとからなる請求項１に記載のルーバー面格子装置。
【請求項３】
ロック解除機構は、可動ルーバー面格子の周枠を形成する一方の縦框に設けられた解除プレートと、解除プレートの下端部又はこれが衝当するロック機構のロックプレートの一端部の何れか一方に設けられたテーパ部と、解除プレートを定位置に保持するバネと、解除プレートの一側部に設けられたコ字状の解除操作用切欠部と、前記縦框に軸支された回転操作ツマミとからなり、回転操作ツマミを一定方向に回転操作することにより、ツマミ先端面に突設された旋回ピンが解除プレートの解除用切欠部に突入してその下端面を押し、それにより解除プレートを一定長さ下動させて、テーパ部を介してロックプレートをそのロック孔がフックの抜け出しを可能とするように移動させるようになっている請求項１又は２に記載のルーバー面格子装置。
【請求項４】
ツマミ回転阻止手段は、ルーバーを連動回転させる連動杆に設けられて、解除プレートの上端に当接するストッパーを有し、ルーバーの閉鎖時は回転操作ツマミの旋回ピンが解除プレートの解除用切欠部に突入可能な位置にあるが、ルーバーの開放に伴って連動杆が上動することにより、ストッパーが上動して旋回ピンが解除プレートの解除用切欠部に突入不能な状態となるようにした請求項１〜３の何れかに記載のルーバー面格子装置。
【発明の詳細な説明】
【技術分野】
【０００１】
本発明は、建物の窓開口部の外側に設置されるルーバー面格子装置に関し、特に、一端部を外枠に枢着し且つ遊端部を外枠にロック機構によって連結した可動ルーバー面格子を火災などの非常時に開放して脱出できるようにしたルーバー面格子装置に関する。
【背景技術】
【０００２】
従来この種のルーバー面格子装置として、特許公報などの公知文献を具体的に挙げることはできないが、従来のルーバー面格子装置では、火災などの非常時に面格子の遊端部の、ロック手段による連結を解除するのに、押しボタン方式が採用されている。即ち、可動ルーバー面格子の周枠を形成する左右何れか一方の縦框の所要部の室内側に押しボタンを設けておいて、この押しボタンを押すことにより、面格子の下横框と外枠の下枠との間に介装したロック機構を解除操作するようになっている。
【発明の概要】
【発明が解決しようとする課題】
【０００３】
従来のルーバー面格子装置では、上記のようにロック手段による連結を解除するのに、押しボタン方式を採用しているため、面格子の左右縦枠の一方側に設けてある押しボタンを室内側から室外側へと押すときに、面格子の下横框と外枠の下枠との間に介装されているロック機構には、押しボタンの押力による解除操作力が、押しボタンの設けられている側に片寄って作用するため、ロック機構の係脱部に引っ掛かりを生じるなどして、ロック解除がスムーズに行えない、という難点があった。
【０００４】
また従来のルーバー面格子装置では、上記ロック機構解除用の押しボタンは、面格子のルーバーが開放している時に室外側からルーバーとルーバーとの隙間を通じて手を差し込めば手が届くため、室外側から面格子の開放が可能となり、不法侵入を許すという問題もあった。
【０００５】
本発明は、上記の事情に鑑み、可動ルーバー面格子のロック機構をスムーズに解除することができると共に、室外側から面格子のロック解除操作を行えないようにして不法侵入の防止を図ることのできるルーバー面格子装置を提供することを目的とする。
【課題を解決するための手段】
【０００６】
上記課題を解決するための手段を、後述する実施形態の参照符号を付して説明すると、請求項１に係る発明のルーバー面格子装置は、周枠７内に多数のルーバー８を開閉可能に配設してなる可動ルーバー面格子１と、可動ルーバー面格子１の一端部を枢着して開閉可能に支持する外枠２と、前記面格子１の遊端部を閉鎖位置で外枠に連結するロック機構３と、面格子周枠７の室内側に突出する回転操作ツマミ５を一定方向に回転操作することによってロック機構３による面格子１と外枠２との連結状態を解除するロック解除機構４と、ルーバー８が開いている時に回転操作ツマミ５の回転を阻止するツマミ回転阻止手段６とを具備してなることを特徴とする。
【０００７】
請求項２は、請求項１に記載のルーバー面格子装置において、ロック機構３は、可動ルーバー面格子１の周枠７を形成する下横框７ｂに設けられたロックプレート１３と、外枠２を形成する左右縦枠２ｃ，２ｃの下端部に設けられた左右一対のフック１４，１４と、可動ルーバー面格子１の閉鎖位置で両フック１４，１４が夫々突入可能にロックプレート１３に設けられたロック孔１５，１５と、ロック孔１５に突入したフック１４をロック孔１５に対し抜け出し不能にロックするようにロックプレート１３をその一方向に付勢するバネ１６とからなることを特徴とする。
【０００８】
請求項３は、請求項１又は２に記載のルーバー面格子装置において、ロック解除機構４は、可動ルーバー面格子１の周枠７を形成する一方の縦框７ｃに設けられた解除プレート１７と、解除プレート１７の下端部又はこれが衝当するロック機構３のロックプレート１３の一端部１３ａの何れか一方に設けられたテーパ部１８と、解除プレート１７をその下端部がロックプレート１３の一端部１３ａに衝当した状態に保持するバネ１９と、解除プレート１７の一側部に設けられたコ字状の解除用切欠部２０と、前記縦框７ｃに軸支された回転操作ツマミ５とからなり、回転操作ツマミ５を一定方向に回転操作することにより、ツマミ先端面に突設された旋回ピン５ｏが解除プレート１７の解除用切欠部２０に突入してその下端面２０ａを押し、それにより解除プレート１７を一定長さ下動させて、テーパ部１８を介してロックプレート１３をそのロック孔１５がフック１４の抜け出しを可能とするように移動させるようになっていることを特徴とする。
【０００９】
請求項４は、請求項１〜３の何れかに記載のルーバー面格子装置において、ツマミ回転阻止手段６は、可動ルーバー面格子１のルーバー８を連動回転させる連動杆１２に設けられて、解除プレート１７の上端に当接するストッパー２８を有し、ルーバー８の閉鎖時は回転操作ツマミ５の旋回ピン５ｏが解除プレート１７の解除用切欠部２０に突入可能な位置にあるが、ルーバー８の開放に伴って連動杆が上動することにより、ストッパー２８が上動して、ツマミ５の旋回ピン５ｏが解除プレート１７の解除用切欠部２０に突入不能な状態となるようにしたことを特徴とする。
【発明の効果】
【００１０】
上記解決手段による発明の効果を、後述する実施形態の参照符号を付して説明すると、請求項１に係る発明のルーバー面格子装置によれば、平常時は、可動ルーバー面格子１のルーバー８が開いておれば、室外側からルーバー８とルーバー８との隙間を通じて手を差し込んでも、ロック解除機構４の回転操作ツマミ５を回すことができないから、面格子１のロックを解除できず、不法侵入の防止を図ることのできる。またロック解除機構４は、回転操作ツマミ５を一定方向に回転操作することによってロック機構３による面格子１と外枠２との連結状態を解除するようにした回転操作方式であって、従来のルーバー面格子装置の押しボタン方式のように解除操作力が押しボタンの設けられている側に片寄って作用することがなく、外枠２に連結されている面格子１の遊端部を瞬時にロック解除して、面格子１をスムーズに開放することができるから、火災などの非常時の緊急脱出に極めて有効である。
【００１１】
請求項２に係る発明のルーバー面格子装置によれば、ロック機構３は、面格子周枠７の下横框７ｂに設けられるロックプレート１３と、外枠２を形成する左右縦枠２ｃ，２ｃの下端部に設けられた左右一対のフック１４，１４と、面格子１の閉鎖位置で両フック１４，１４が夫々突入可能にロックプレート１３に設けられたロック孔１５，１５と、ロック孔１５に突入したフック１４をロック孔１５に対し抜け出し不能にロックするようにロックプレート１３をその一方向に付勢するバネ１６とによって簡単に構成することができる。
【００１２】
請求項３に係る発明のルーバー面格子装置によれば、ロック解除機構４は、面格子周枠７を形成する一方の縦框７ｃに設けられた解除プレート１７と、解除プレート１７の下端部又はこれが衝当するロック機構３のロックプレート１３の一端部１３ａの何れか一方に設けられたテーパ部１８と、解除プレート１７をその下端部がロックプレート１３の一端部１３ａに衝当した状態に保持するバネ１９と、解除プレート１７の一側部に設けられた解除用切欠部２０と、前記一方の縦框７ｃに設けられた回転操作ツマミ５と、からなり、回転操作ツマミ５を一定方向に回転させることにより、ツマミ５の先端面に突設された旋回ピン５ｏが解除プレート１７の解除用切欠部２０に突入してその下端面２０ａを押し、それにより解除プレート１７が一定長さ下動して、テーパ部１８を介してロックプレート１３がそのロック孔１５がフック１４の抜け出しを可能とするように移動するようになっているから、ツマミ５を回転操作するだけで、ロック機構３による面格子１と外枠２との連結状態を解除することができる。
【００１３】
請求項４に係る発明のルーバー面格子装置によれば、ツマミ回転阻止手段６は、可動ルーバー面格子１のルーバー８を連動回転させる連動杆１２に設けられて、解除プレート１７の上端に当接するストッパー２８からなるもので、ルーバー８の閉鎖時は回転操作ツマミ５の旋回ピン５ｏが解除プレート１７の解除用切欠部２０に突入可能な位置にあるが、ルーバー８の開放に伴って連動杆が上動し、それによりストッパー２８が上動して、ツマミ５の旋回ピン５ｏが解除プレート１７の解除用切欠部２０に突入不能状態となるから、簡単な構成によってルーバー開放時のツマミ５の回転を阻止することができる。
【図面の簡単な説明】
【００１４】
【図１】(a) は本発明に係るルーバー面格子装置を室外側から見た正面図、(b) は概略縦断面図である。
【図２】ルーバー面格子が開放している状態を室内側から見た斜視図である。
【図３】ルーバー面格子が閉鎖している状態を室内側から見た斜視図である。
【図４】(a) は図１の(a) のＶ−Ｖ線拡大断面図でルーバー面格子が開放している状態を示し、(b) は(a) のＷ−Ｗ線断面図である。
【図５】(a) は図１の(a) のＶ−Ｖ線拡大断面図でルーバー面格子が閉鎖している状態を示し、(b) は(a) のＸ−Ｘ線断面図である。
【図６】ロック状態にあるロック機構及びロック解除機構を示す説明図である。
【図７】ロック状態にあるロック機構の水平拡大断面図である。
【図８】ロックが解除された状態にあるロック機構及びロック解除機構を示す説明図である。
【図９】ロック解除状態にあるロック機構の水平拡大断面図である。
【図１０】回転ツマミを含むロック解除機構を示すルーバー面格子装置の水平拡大断面図である。
【図１１】(a) は回転操作ツマミを基台に取り付けた状態の正面図、(b-1) は縦断面図、(b-2) は回転操作ツマミの側面図、(b-3) は(b-2) のＱ−Ｑ線断面図、(c) は回転操作ツマミを基台に取り付けた状態の裏面図である。
【図１２】ルーバー回転操作機構を示す斜視図である。
【図１３】ルーバー回転操作機構の側面図である。
【図１４】ルーバー回転操作機構の横断面図である。
【発明を実施するための形態】
【００１５】
以下に本発明の好適な一実施形態を図面に基づいて説明すると、図において、１は可動ルーバー面格子、２は可動ルーバー面格子１の上端部を枢着して開閉可能に支持する外枠で、建物の窓開口部（図示省略）に取り付けられる。３は可動ルーバー面格子１の下端部（遊端部）を閉鎖位置で外枠２に連結するロック機構、４は面格子周枠７の室内側に突出する回転操作ツマミ５を一定方向に回転操作することによってロック機構３による面格子１の外枠２との連結状態を解除するロック解除機構であり、６はルーバー８が開放している時に回転操作ツマミ５の回転を阻止するツマミ回転阻止手段である。
【００１６】
可動ルーバー面格子１は、上下横框７ａ，７ｂと左右縦框７ｃ，７ｃとからなる周枠７内に多数のルーバー８を横方向に並列して、各ルーバー８の両端部を左右縦框７ｃ，７ｃの内側側壁７ｃｏ，７ｃｏに回転可能に取り付けたもので、各ルーバー８の両端部に設けた支軸９，９の一方を連動回転機構１０によって連動回転可能に連結している。この連動回転機構１０は、図４及び図５に示すように、各ルーバー８の一方の支軸９に連結したクランクアーム１１と、各クランクアーム１１の先端部を枢支連結する連動杆１２とで構成される。外枠２は、上下横枠２ａ，２ｂと左右縦枠２ｃ，２ｃとによって形成される。
【００１７】
ロック機構３は、図６〜図９に示すように、可動ルーバー面格子１の周枠７を形成する下横框７ｂに設けられたロックプレート１３と、外枠２を形成する左右縦枠２ｃ，２ｃの夫々下端部に設けられた左右一対のフック１４，１４と、可動ルーバー面格子１の下端部（遊端部）を閉鎖した位置で両フック１４，１４が夫々突入可能にロックプレート１３に設けられたロック孔１５，１５と、このロック孔１５，１５に突入したフック１４，１４をロック孔１５に対し抜け出し不能にロックするようにロックプレート１３をその一方向に付勢するコイルバネ１６とから構成される。図６及び図７は各フック１４がロックプレート１３のロック孔１５に対し抜け出し不能なロック状態を示し、そして図８及び図９は各フック１４がロックプレート１３のロック孔１５に対し抜け出し可能なロック解除状態を示している。
【００１８】
また図６〜図９に示すように、ロックプレート１３は、第１プレート１３ａと第２プレート１３ａと両プレート１３ａ，１３ｂをつなぐ紐体１３ｃとにより構成されたもので、第２プレート１３ａの一端部と周枠７の縦框７ｃとの間に介装されたコイルバネ１３によって、両プレート１３，１３はロック孔１５，１５からのフック１４，１４の抜け出しを阻止する方向に付勢されている。尚、ロックプレート１３は、１本のプレートで形成してもよいが、この実施形態のように２つのプレート１３ａ，１３ｂとこれらをつなぐ紐体１３ｃとで構成することで軽量化を図ることができる。
【００１９】
ロック解除機構４は、図６及び図８に示すように、可動ルーバー面格子１の周枠７を形成する左右縦枠２ｃ，２ｃの一方の縦枠２ｃに設けられた解除プレート１７と、この解除プレート１７の下端部に形成されたテーパ部１８と、ロックプレート１３を定位置に保持するようにこのプレート１３を上向きに付勢するコイルバネ１９と、解除プレート１７の一側縁に切欠形成されたコ字状の解除操作用切欠部２０と、前記一方の縦枠２ｃに軸支された回転操作ツマミ５とからなる。尚、この実施形態では、テーパ部１８を解除プレート１７の下端部に形成したが、ロックプレート１３の一端部にテーパ部１８を形成してもよい。
【００２０】
上記ロック解除機構４について更に説明すると、解除プレート１７は、図１０から分かるように、前記一方の縦枠２ｃ内に固定された支持部材２１に上下方向スライド自在に支持されており、そして図６及び図８に示すようにこの解除プレート１７の所要部には上下に長いスリット１７ａが開口されて、このスリット１７ａには縦枠２ｃ側に固定された位置規制ピン２４が突入されている。この位置規制ピン２４は、常時は図６に示すように、解除プレート１７を上向きに引張するコイルバネ１９の付勢力でスリット１７ａの下端に係止させることにより、解除プレート１７のテーパ部１８の下端部をロックプレート１３の一端部１３ｏに適宜に当接させた状態に保持し、また解除プレート１７を押し下げる時にその下限位置を規制するようになっている。
【００２１】
回転操作ツマミ５は、図１１の(a) ，(b-1) 〜(b-3) 及び(c) に示すように、円盤状ツマミ本体５ａと、これに同軸一体に連設された回転軸部５ｂと、この回転軸部５ｂの両側面切除部ｋ，ｋに夫々対面するようにツマミ本体５ａの基端面から回転軸部５ｂと平行に突設された一対のバネ支持枠５ｃ，５ｃと、回転軸部５ｂの先端面に突設された旋回ピン５ｏとからなるもので、回転軸部５ｂが取付台２５の円筒状支持部２５ａ内に回転自在に支持され、そして(b-1) に示すように両バネ支持枠５ｃ，５ｃにコイルバネ２２が嵌装支持されて、このコイルバネ２２の一端部が取付台２５側に固定され且つ他端部がツマミ５側に固定されると共に、回転軸部５ｂの回転角度範囲が所定角度、例えば約９０度に制限されて、常時はその回転角度範囲の始端位置に保持されている。従って、図１１の(a) に示す状態からツマミ本体５ａを掴んで、コイルバネ２２の付勢力に抗して同図に関し時計回りに回すことよって、回転軸部５ｂを回転させて旋回ピン５ｏを図１１の(c) の仮想線図示のように所定角度の約９０度旋回させることができ、そしてツマミ本体５ａから手を離すと、回転軸部５ｂがコイルバネ２２により回転開始位置まで復帰して、旋回ピン５ｏが元の位置に戻るようになっている。このような構成であるから、回転操作ツマミ５は、一定方向に回すだけで、ロック機構３を迅速容易にロック解除することができる。
【００２２】
この回転操作ツマミ５の取付にあたっては、取付台２５を、図３、図４の(a) 及び図５の(a) に示すように面格子周枠７の縦框７ｃの室内側所定箇所に配してビス２７により取り付ける。この時、旋回ピン５ｏが、図４の(b) 及び図５の(b) に示すように解除プレート１７の一側縁より僅かに外側に位置するようにツマミ５を取り付ける。この回転操作ツマミ５は、可動ルーバー面格子１のルーバー８が開いている時は、防犯のため以下に説明するツマミ回転阻止手段６によって回転操作できないようになっている。
【００２３】
ルーバー８の開放時に回転操作ツマミ５の回転を阻止するツマミ回転阻止手段６は、可動ルーバー面格子１のルーバー８を連動回転させる連動杆１２に取り付けたストッパー２８を含んで構成されるもので、このストッパー２８は、図５の(a) ，(b) に示すように、ルーバー８が閉じている時は、回転操作ツマミ５の旋回ピン５ｏが解除プレート１７の解除用切欠部２０に突入可能な位置で解除プレート１７の上端面１７ａに当接しているが、図４の(a) ，(b) に示すように、ルーバー８が開くのに伴い連動杆１２が上動してストッパー２８が上動することにより、コイルバネ１９で上向きに付勢されている解除プレート１７が追従上動して解除用切欠部２０の位置が引き上がり、それにより回転操作ツマミ５の旋回ピン５ｏが図４の(b) に示すように解除用切欠部２０に突入不能な状態となって、回転操作ツマミ５の回転操作を阻止するようになっている。
【００２４】
図４の(a) ，(b) に示すようにルーバー８が開いている時には回転操作ツマミ５の旋回ピン５ｏが解除プレート１７の解除用切欠部２０に突入不能な状態となって、回転操作ツマミ５を回転操作できないから、ロック解除機構４を解除操作することができなくなる。そして、図４の(a) ，(b) に示す状態からルーバー８を図４の(a) に関し反時計回りに回転させてルーバー８を閉じていくと、連動杆１２の下動に伴いストッパー２８が下動して、解除プレート１７がコイルバネ１９に抗して下動し、図５の(a) ，(b) に示すように、回転操作ツマミ５の旋回ピン５ｏが解除用切欠部２０に突入可能な状態となり、しかしてこの状態でツマミ５を図５の(b) に関し時計回りに回転操作すると、図８に示すように、旋回ピン５ｏが解除用切欠部２０内に突入してその下端面２０ａを押下し、解除プレート１７を一定長さ下動させ、解除プレート１７下端部のテーパ部１８を介してロックプレート１３をそのロック孔１５がフック１４の抜け出しを可能とするようになっている。
【００２５】
尚、図２〜図５において、２９は外枠２の縦枠２ｃに開口形成されたツマミ挿通孔で、可動ルーバー面格子１を外枠２に対し閉鎖させた状態で回転操作ツマミ５を挿通させて円盤状ツマミ本体５ａを室内側に突出させるようにしたもので、このツマミ挿通孔２９の周囲にはツマミカバー３０が設けられている。
【００２６】
次に、ルーバー８を回転させるルーバー回転操作機構について図１２〜図１４を参照して説明する。図１２〜図１４において、３１はルーバー８をその支軸９を中心に回転させて前記連動回転機構１０（図４、図５、図７参照）を介し全ルーバー８を一斉に開閉回転させる回転操作ハンドル、３２は回転操作ハンドル３１と面格子周枠７の縦框７ｃとの間に介装して、ルーバー８を所要角度位置にロックするルーバーロック機構である。
【００２７】
ルーバーロック機構３２は、図１３及び図１４に示すように、ルーバー８の端部に取り付けられた基台３３内部にルーバー８の長手方向に摺動可能に保持されて、周枠７の縦框７ｃの内側側壁７ｃｏに対して進退移動するストッパーロッド３４と、ルーバー８の支軸９から一定半径の円周上に所要間隔で凹設されて、ストッパーロッド３４の前進時にその先端部が係合する複数の係合凹部Ａ〜Ｅと、ストッパーロッド３４を縦框７ｃ側から後退する方向に付勢するコイルバネ３５とから構成される。
【００２８】
回転操作ハンドル３１は、その基端部３１ａが回転支軸３７によりルーバー８の回転方向と直交し且つその側面に沿った方向に回転可能に基台３３に枢着され、このハンドル３１の回転支軸３７の一端部３７ａ外周面にストッパーロッド３４の後端部が係合するカム３８，３９が９０度の間隔で形成されている。しかして、図１２〜図１４に示すように、ハンドル３１が基台３３から垂直に立ち上がった状態でルーバーロック機構３２がロック解除されるから、この状態でハンドル３１を図１３に示すようにルーバー８の支軸９を中心に回転させて、所要角度回転位置で図１４の仮想線図示のように横向きに倒すことにより、ストッパーロッド３４の先端部を係合凹部Ａ〜Ｅの何れかに係合させて、ルーバー８を所要角度位置にロックすることができる。このロック操作において、ハンドル３１は、図１２及び図１４に矢印Ｌ，Ｒで示すように、左方向（Ｌ）、右方向（Ｒ）の何れの方向へ倒しても、カム３８，３９の作用でストッパーロッド３４の先端部を係合凹部Ａ〜Ｅの何れかに係合させることができるようになっている。
【００２９】
上記のように構成されるルーバー面格子装置において、可動ルーバー面格子１は、平常時には、面格子１の下端部（遊端部）を外枠２に連結するロック機構３によって閉鎖位置にロックされている。そして、この状態で、回転操作ハンドル３１によってルーバー８を開閉することができるし、ルーバーロック機構３２により所要角度回転位置にロックすることができる。
【００３０】
また平常時に、可動ルーバー面格子１のルーバー８が開いた状態において、室外側からルーバー８とルーバー８との隙間を通じて手を差し込み、面格子周枠７の室内側に突出する回転操作ツマミ５を回転操作しようとしても、ツマミ回転阻止手段６によってツマミ５の回転が阻止されているため、ツマミ５を回すことができず、従って勝手に面格子１を開放させることができない。
【００３１】
火災などの非常時に、面格子１を開放させて脱出しようとする場合には、回転操作ハンドル３１によりルーバー８を閉じれば、回転操作ツマミ５が回転可能な状態となるから、このツマミ５を回転操作することによって、面格子１を開放して脱出することができる。図５の(a) ，(b) 及び図６は、ルーバー８を閉じることにより、回転操作ツマミ５が回転操作可能となった状態を示したもので、同図の状態からツマミ５のツマミ本体５ａを図５の(a) 及び図６に関して時計回りに回転操作すると、旋回ピン５ｏが同方向に旋回して、解除用切欠部２０の下端面２０ａを押下し、そうすると図８に示すように、解除プレート１７が一定長さ下動して、解除プレート１７下端部のテーパ部１８を介してロックプレート１３を図６に関し右方向に移動させるから、図８及び図９から分かるように外枠２側のフック１４がロックプレート１３のロック孔１５から抜け出し可能な状態となり、従ってこの状態から面格子１を室外側へ押せば、図１の(b) 、図３及び図１０に示すように面格子１を揺動させて開放状態とすることができる。
【００３２】
尚、この時、回転操作ツマミ５は、外枠２の縦枠２ｃに開口されたツマミ挿通孔２９から抜け出ることになる。
【００３３】
以上説明したように、この発明に係るルーバー面格子装置によれば、平常時には可動ルーバー面格子１のルーバー８が開いておれば、室外側からルーバー８とルーバー８との隙間を通じて手を差し込んでも、ロック解除機構４の回転操作ツマミ５を回すことができないから、面格子１のロックを解除できず、不法侵入の防止を図ることのできる。
【００３４】
また、このルーバー面格子装置では、ロック解除機構４は、回転操作ツマミ５を一定方向に回転操作することによってロック機構３による面格子１と外枠２との連結状態を解除するようにした回転操作方式であって、従来のルーバー面格子装置の押しボタン方式のように解除操作力が押しボタンの設けられている側に片寄って作用することがなく、外枠２に連結されている面格子１の下端部（遊端部）を瞬時にロック解除して、面格子１をスムーズに開放することができるから、火災などの非常時の緊急脱出に極めて有効である。
【００３５】
以上説明した実施形態のルーバー面格子装置では、可動ルーバー面格子１は、その上横框７ａを外枠２の上枠２ａに枢着し、面格子１の下横框７ｂをロック機構３を介して外枠２の下横枠２ｂに連結するようにしたが、面格子１の左右縦框７ｃ，７ｃの一方の縦框７ｃを外枠２の縦枠２ｃに枢着し、面格子１の他方の縦框７ｃを外枠２の他方の縦枠２ｃにロック機構３を介して連結するようにしてもよい。
【符号の説明】
【００３６】
１              可動ルーバー面格子
２              外枠
３              ロック機構
４              ロック解除機構
５              回転操作ツマミ
５ｏ            ツマミの旋回ピン
６              ツマミ回転阻止手段
７              面格子の周枠
８              ルーバー
１３            ロックプレート
１４            フック
１５            ロック孔
１７            解除プレート
１８            テーパ部
１９            コイルバネ
２０            解除用切欠部
【図１】
2010242456.tif 000003
【図２】
2010242456.tif 000004
【図３】
2010242456.tif 000005
【図４】
2010242456.tif 000006
【図５】
2010242456.tif 000007
【図６】
2010242456.tif 000008
【図７】
2010242456.tif 000009
【図８】
2010242456.tif 000010
【図９】
2010242456.tif 000011
【図１０】
2010242456.tif 000012
【図１１】
2010242456.tif 000013
【図１２】
2010242456.tif 000014
【図１３】
2010242456.tif 000015
【図１４】
2010242456.tif 000016